(57)【要約】【課題】  不正光源を差し込まれるような不正操作に感応せず、コイン通過路を正常にコインが通過したときにのみ、コインの通過を示す出力信号を出力するコイン通過検出センサを提供する。【解決手段】  コイン通過路４を挟んで投光部６及び受光部７が互いに対向して配置される。そして投光部６をパルス点灯駆動すると共に、受光部７が光電変換して生成する信号から高周波成分を抽出し、該高周波成分からパルス点灯周波数に同期する信号を検出する。この検出信号がパルス点灯周波数に同期して複数回連続的に検出された場合に、受光部７が投光部６からの光を正常受光したことを示す出力信号Ｓ１，Ｓ２を出力する。【選択図】  図１
2006288958.tif 000002
【特許請求の範囲】
【請求項１】
コイン通過路を挟んで互いに対向して配置される投光手段及び受光手段を備え、前記受光手段への入光及び遮光に応答して前記コイン通過路をコインが通過したことを示す出力信号を生成するコイン通過検出センサであって、
前記投光手段をパルス点灯させる駆動手段と、
前記受光手段が光電変換して生成する信号から高周波成分を抽出する手段と、
該高周波成分から前記パルス点灯の周波数に同期する信号を検出する信号検出手段と、
前記信号検出手段によって検出される検出信号が前記パルス点灯の周波数に同期して複数回連続的に検出された場合に、前記受光手段が前記投光手段からの光を受光したことを示す出力信号を出力する信号処理手段と
を備えることを特徴とするコイン通過検出センサ。
【請求項２】
前記パルス点灯の周波数を変調させることを特徴とする請求項１記載のコイン通過検出センサ。
【請求項３】
前記高周波成分が前記パルス点灯の周波数と非同期の信号成分を含む場合に、前記出力信号を出力しないように制御する制御手段を更に備える請求項１又は２記載のコイン通過検出センサ。
【請求項４】
前記高周波成分から前記検出信号を検出する際に、信号のオン及びオフの検出レベルを異なるレベルとしたヒステリシスを設けると共に、前記オン及びオフの検出レベルよりも低いレベルにおいてノイズを除去するためのノイズ除去レベルを設け、
前記ヒステリシスにおける検出レベル差を前記ノイズ除去レベルの大きさよりも大きな値に設定してなる請求項１乃至３のいずれかに記載のコイン通過検出センサ。
【発明の詳細な説明】
【技術分野】
【０００１】
本発明は、コイン通過を検出するコイン通過検出センサに関する。
【背景技術】
【０００２】
スロットマシン等の遊技機においてコイン投入口から投入されるコイン（被検物体）は、コイン投入口の内側のコイン通過路に設けられたコイン通過検出センサによって検出され、コイン通過路をコインが通過したことが検出された場合に遊技機の内部メモリで管理されるコイン投入枚数がカウントアップされるように構成されている。
【０００３】
例えば従来の光透過型コイン通過検出装置１００は図９に示すような構成を有している。即ち、従来のコイン通過検出装置１００は、投入されたコイン９が通過するコイン通過路１０４に沿って２個のコイン通過検出センサ１１０，１２０が設けられた構成を有し、それぞれのコイン通過検出センサ１１０，１２０が、コイン通過路１０４を挟んで互いに対向して配置される投光部１１６及び受光部１１７を備えている。投光部１１６は直流電源に接続され、常時一定の光をコイン通過路１０４に向けて出射する。そして受光部１１７は投光部１１６から出射される光の入光及び遮光に応答してコイン通過路１０４をコイン９が通過したことを示す出力信号を生成する。
【０００４】
コイン通過路１０４を正常にコイン９が通過する場合、コイン通過検出センサ１１０及び１２０のそれぞれから出力される出力信号Ｓ１，Ｓ２は図１０に示すようになる。即ち、各コイン通過検出センサ１１０，１２０は、コイン通過の前後で受光部１１７が投光部１１６からの光を良好に受光する状態となり、受光部１１７からの出力信号Ｓ１，Ｓ２はＬレベルとなる。そしてコイン９がコイン通過路１０４を正常に通過すると、まず上流側に配置されたコイン通過検出センサ１１０の受光部１１７が遮光された状態となり、続いて下流側に配置されたコイン検出センサ１２０の受光部１１７が遮光された状態となる。したがって、各受光部１１７からの出力信号Ｓ１，Ｓ２はコイン９が通過する順に一時的にＨレベルとなる。
【０００５】
そして従来は、コイン通過検出装置１００の後段に設けられる判定回路において、例えば出力信号Ｓ１がＬレベルからＨレベルに遷移してから所定時間経過後に出力信号Ｓ２がＬレベルからＨレベルに遷移した場合に、正常なコイン投入があったものとみなしてコインの投入枚数をカウントアップするように構成されている。
【０００６】
【特許文献１】特開平８−２４４３４号公報
【特許文献２】特開平６−６３２４４号公報
【発明の開示】
【発明が解決しようとする課題】
【０００７】
ところで、上述した従来の光透過型コイン通過検出装置１００の場合、遊技機の利用者によって比較的簡単にコイン投入の不正操作が行われるという問題がある。例えば図１１に示す如く、遮光性材で形成された基板９１の表面にＬＥＤ等の光源９２，９３をコイン通過検出センサ１１０，１２０の配置間隔に一致するようにして配置し、それをコイン投入口から差し込んでいく。そして光源９２，９３がそれぞれコイン通過検出センサ１１０，１２０の受光部１１７に対向する位置に達した時点で基板９１を固定し、外部から光源９２，９３の点灯を制御することにより、コイン９が正常通過したときと同様の入光状態及び遮光状態を各受光部１１７に検知させる。このような不正光源による不正操作が行われてしまうと、コイン通過検出装置１００は、正常通過時と同様の出力信号Ｓ１，Ｓ２を後段の判定回路に出力してしまう。
【０００８】
本発明は、上記従来の問題点を解決することを目的としてなされたものであり、投光手段と受光手段とを同期制御することにより、外部から不正光源を差し込まれるような不正操作に感応せず、コイン通過路を正常にコインが通過したときにのみ、コインの通過を示す出力信号を出力するようにしたコイン通過検出センサを提供するものである。
【課題を解決するための手段】
【０００９】
上記目的を達成するため、本発明が解決手段として採用したところは、コイン通過路を挟んで互いに対向して配置される投光手段及び受光手段を備え、前記受光手段への入光及び遮光に応答して前記コイン通過路をコインが通過したことを示す出力信号を生成するコイン通過検出センサであって、前記投光手段をパルス点灯させる駆動手段と、前記受光手段が光電変換して生成する信号から高周波成分を抽出する手段と、該高周波成分から前記パルス点灯の周波数に同期する信号を検出する信号検出手段と、前記信号検出手段によって検出される検出信号が前記パルス点灯の周波数に同期して複数回連続的に検出された場合に、前記受光手段が前記投光手段からの光を受光したことを示す出力信号を出力する信号処理手段とを備えて構成した点にある。これにより、外部から直流点灯する不正光源や、投光手段のパルス点灯周波数に一致しない周波数で点灯する不正光源が差し込まれて不正操作が行われる場合であっても、それには感応しなくなる。
【００１０】
また、上記のコイン通過検出センサにおいては、前記パルス点灯の周波数を変調させることがより好ましい。これにより、不正光源が投光手段のパルス点灯周波数に一致する可能性を低減できる。
【００１１】
また、上記のコイン通過検出センサは、前記高周波成分が前記パルス点灯の周波数と非同期の信号成分を含む場合に、前記出力信号を出力しないように構成することが好ましい。これにより、投光手段のパルス点灯周波数よりも高周波で不正光源が点灯する場合であっても、それには感応しない構成となる。
【００１２】
更に、上記のコイン通過検出センサにおいては、前記高周波成分から前記検出信号を検出する際に、信号のオン及びオフの検出レベルを異なるレベルとしたヒステリシスを設けると共に、前記オン及びオフの検出レベルよりも低いレベルにおいてノイズを除去するためのノイズ除去レベルを設け、前記ヒステリシスにおける検出レベル差を前記ノイズ除去レベルの大きさよりも大きな値に設定しておくことがより好ましい。これにより、投光手段からの光を減衰させて、不正光源の光を重畳させる態様の不正操作にも感応しないセンサが実現される。
【発明の効果】
【００１３】
本発明に係るコイン通過検出センサによれば、投光手段をパルス点灯させており、しかも受光手段から得られる信号から投光手段のパルス点灯周波数に同期した信号が複数回連続的に検出された場合に、正常受光であることを示す出力信号が出力されるので、外部から不正光源を差し込まれるような不正操作に感応せず、コイン通過路を正常にコインが通過したときにのみ、コインの正常通過を示す出力信号を出力できるものである。
【００１４】
また、投光手段のパルス点灯周波数を変化させることや、受光手段から得られる信号の高周波成分がパルス点灯の周波数と非同期の信号成分を含む場合に出力信号を出力しないように構成すること等により、更に確実にコインの正常通過を判別できるようになり、不正操作がより困難なものとなる。また、ヒステリシスにおける検出レベル差をノイズ除去レベルの大きさよりも大きな値に設定しておくことによっても不正操作が困難なものとなる。
【発明を実施するための最良の形態】
【００１５】
以下図面に基づいて本発明の好ましい実施形態を詳述する。本実施形態におけるコイン通過検出装置は、例えばスロットマシン等の遊技機におけるコイン投入口の内側のコイン通過路に設けられ、コイン通過路をコインが正常に通過した場合、図１０と同様の出力信号Ｓ１，Ｓ２を後段の判定回路に出力するものである。但し、本実施形態においては、コイン通過路をコインが通過する際、受光部が遮光されたときに出力信号がＬレベルとなり、受光部に対して正常入光があるときに出力信号がＨレベルとなる場合を例示する。即ち、本実施形態における出力信号Ｓ１，Ｓ２は図１０に示す信号を反転させた信号となっている。
【００１６】
（コイン通過検出装置の構成）
図１は、本実施形態におけるコイン通過検出装置１の構成を示す図である。コイン通過検出装置１は、コイン投入口から投入されたコイン９が通過するコイン通過路４に沿って配置された２個のコイン通過検出センサ２，３を備えており、コイン通過検出センサ２はコイン通過路４の上流側に配置され、出力信号Ｓ１を出力するように構成されると共に、コイン通過検出センサ３はコイン通過路４の下流側に配置され、出力信号Ｓ２を出力するように構成されている。
【００１７】
各コイン通過検出センサ２，３は同様の構成となっており、コイン通過路４を挟んで互いに対向して配置される投光部６及び受光部７を備えている。投光部６は例えばＬＥＤで構成されており、信号処理部１０によって点灯制御され、コイン通過路４の側壁に形成されたスリットを介して受光部７に向けた光を投光する。受光部７は例えばフォトダイオードによって構成される光電変換手段であり、受光する光の光量に応じた電流を生じさせて信号処理部１０に出力する。
【００１８】
受光部７及び信号処理部１０は例えば専用ＩＣ８によって構成されており、受光部７は専用ＩＣ８における内部配線によって信号処理部１０に接続される。また投光部６と専用ＩＣ８はコイン通過路４を避けて配線された導電線により接続される。そしてコイン通過検出センサ２，３に対する電源は、図示を省略する電源供給ラインを介して専用ＩＣ８に供給される。
【００１９】
そして信号処理部１０は、投光部６をパルス点灯させ、受光部７が光電変換して生成する信号から高周波成分を抽出し、該高周波成分から投光部６のパルス点灯周波数に同期する信号を検出すると共に、該検出信号がパルス点灯周波数に同期して複数回連続的に検出された場合に、受光部７が投光部６からの光を正常受光したことを示す出力信号Ｓ１又はＳ２を出力するように構成されている。
【００２０】
（信号処理部の構成と基本動作）
図２は信号処理部１０の詳細構成を示すブロック図である。信号処理部１０は、乱数発生回路１１、発振回路１２、同期信号発生回路１３、ドライブ回路１４、帯域フィルタ１５ａを内蔵した増幅回路１５、同期検波回路１７、信号処理回路１８、出力回路１９、レベル検出回路２０及び非同期判別回路３０を備えて構成される。そして投光部６のアノードは信号処理部１０に設けられた電源Ｖに接続され、カソードはドライブ回路１４に接続される。また受光部７は増幅回路１５に接続されており、受光量に応じた電流を増幅回路１５に出力する。
【００２１】
発振回路１２は、投光部６のパルス点灯周波数を規定するクロック信号を発生させ、それを同期信号発生回路１３に出力する。同期信号発生回路１３は、発振回路１２から入力するクロック信号に基づいて所定パルス幅の同期信号Ｓａを発生させ、その同期信号Ｓａを、ドライブ回路１４、同期検波回路１７及び非同期判別回路３０に出力する。
【００２２】
ドライブ回路１４は、投光部６に流れる電流をオンオフするスイッチング機能を有しており、同期信号Ｓａに基づいてオンオフの切換動作を繰り返すことにより、投光部６がパルス点灯周波数に基づいてパルス点灯するように駆動する駆動手段である。投光部６がドライブ回路１４によってパルス点灯すると、そのパルス点灯光はコイン通過路４に導かれ、コイン通過路４に遮光物が存在しない場合には受光部７に入光して光電変換が行われる。
【００２３】
増幅回路１５は受光部７から入力する受光量に応じた電流を電圧に変換して信号成分を増幅すると共に、帯域フィルタ１５ａにおいて直流成分を除去して高周波成分を抽出した受光信号Ｓｃを同期検波回路１７に出力する。また増幅回路１５は非同期判別回路３０にも受光信号Ｓｃを出力する。
【００２４】
同期検波回路１７は受光信号Ｓｃを入力すると同期信号Ｓａと同期した信号成分を検出し、その検出信号Ｓｄを信号処理回路１８に出力する。そして信号処理回路１８は、検出信号Ｓｄがパルス点灯周波数に同期して所定回数連続的に検出された場合に、受光部７が投光部６からの光を正常受光したことを示す信号Ｓｅを出力回路１９に出力する。逆に、パルス点灯周波数に同期する検出信号Ｓｄが所定回数連続的に検出されなかった場合には、信号処理回路１８は、受光部７が投光部６からの光を正常に受光しておらず、コイン通過路４が遮光された状態にあることを示す信号Ｓｅを出力回路１９に出力する。そして出力回路１９は信号処理回路１８から入力する信号Ｓｅに基づいて出力信号Ｓｉ（即ち図１０のＳ１又はＳ２に相当）を後段の判定回路に出力する。
【００２５】
図３は、信号処理部１０の上述した基本動作における各部の信号状態を示す図である。同期信号発生回路１３から出力される同期信号Ｓａは投光部６のパルス点灯周波数ｆを規定しており、ドライブ回路１４が該同期信号Ｓａに基づいてドライブ信号Ｓｂを発生させ、投光部６を周波数ｆでパルス点灯させる。そして増幅回路１５は、受光部７の受光状態に応じた受光信号Ｓｃを発生する。尚、図３では投光部６の２回目以降のパルス点灯を、受光部７が感知した場合を例示している。
【００２６】
そして同期検波回路１７において受光信号Ｓｃと同期信号Ｓａとが同期する信号成分が抽出されて、検出信号Ｓｄが生成され、信号処理回路１８において所定回数（Ｎ回：但し、Ｎは複数）の連続的な検出信号Ｓｄが得られた場合に出力信号Ｓｅ，ＳｉがＬレベルからＨレベルに遷移する。
【００２７】
このように本実施形態のコイン通過検出センサ２，３は、その基本動作として、投光部６をパルス点灯させると共に、受光部７が光電変換して生成する信号から高周波成分を抽出して該高周波成分からパルス点灯の周波数ｆに同期する信号を検出し、その検出信号がパルス点灯の周波数ｆに同期して複数回連続的に検出された場合に、受光部７が投光部６からの光を正常受光したことを示す出力信号Ｓｉ（Ｓ１又はＳ２）を出力するように構成されている。したがって、例えばコイン通過路４に光源を備えた基板を差し入れてその光源を点滅させる不正操作を行ったとしても、光源の点灯状態が直流点灯であれば、信号処理部１０において感知しないので、投入枚数の不正カウントアップを防止できるものとなっている。また不正操作による光源の点灯状態がパルス点灯であっても、その点灯周波数が投光部６のパルス点灯周波数ｆに一致しない場合には、信号処理部１０において感知しないので、投入枚数の不正カウントアップを防止できるものとなっている。特に、信号処理部１０は、同期信号Ｓａに一致する受光信号Ｓｃが複数回連続して得られない限り、正常受光とは判定しないように構成されているため、不正操作による光源のパルス点灯のタイミングが偶然に同期信号Ｓａと１回だけ（若しくは２，３回程度）一致したとしても、誤判定が生じないような構成になっている。
【００２８】
（パルス点灯周波数の変調）
ところで、コイン通過検出センサ２，３が上述の基本動作を行う場合であっても、不正光源の点灯状態が偶然に若しくは意図的に投光部６のパルス点灯周波数ｆに一致してパルス点灯する場合には、信号処理部１０が正常受光であると判定して出力信号ＳｉをＬレベルからＨレベルに遷移させてしまう可能性がある。
【００２９】
それを避けるため、本実施形態においては発振回路１２が乱数発生回路１１の発生する乱数Ｓｒに基づいてパルス点灯周波数ｆを不規則に変化させるように構成されている。乱数発生回路１１は、所定間隔で乱数Ｓｒを発生させるように構成されている。このとき例えば乱数発生回路１１が内部に有する乱数表に基づいて乱数Ｓｒを発生させてもよいし、信号Ｓｄ若しくはＳｇ等の信号を入力し、その信号に含まれるノイズの入力変動を利用して乱数Ｓｒを発生させてもよい。そして発振回路１２は乱数Ｓｒに基づきパルス点灯周波数ｆを変調させる。
【００３０】
したがって、本実施形態におけるコイン通過検出センサ２，３は、投光部６がパルス点灯する周波数ｆを逐次変調させるため、コイン通過路４に不正光源が差し込まれ、投光部６のパルス点灯周波数ｆに一致してパルス点灯した場合であっても、その一致した状態を長時間継続させない構成になっており、信号処理部１０が正常受光であると誤判定してしまう可能性を低減している。尚、パルス点灯周波数ｆを変化させるタイミングの間隔は、信号処理回路１８が検出信号Ｓｄを連続して所定回数（Ｎ回）分カウントするまでの時間に設定しておくことが好ましい。
【００３１】
（非同期判別回路）
上述のようにパルス点灯周波数ｆを逐次不規則に変化させる場合であっても、不正光源の点灯状態が極めて高い周波数でパルス点灯する場合には、信号処理部１０において同期信号Ｓａと同期した受光信号Ｓｃが検出され、正常受光であると誤判定してしまう可能性がある。
【００３２】
それを防止するため、本実施形態においては非同期判別回路３０が設けられ、受光信号Ｓｃの高周波成分がパルス点灯周波数と非同期の信号成分を含む場合に、出力信号Ｓｉを出力しないように構成されている。非同期判別回路３０は、同期検波回路３１、インバータ回路３２及び制御回路３３を備える。インバータ回路３２は、同期信号Ｓｄを入力してその反転同期信号Ｓｆを生成し、同期検波回路３１に出力する。同期検波回路３１は、反転同期信号Ｓｆと受光信号Ｓｃとを入力し、受光信号Ｓｃから反転同期信号Ｓｆに同期した信号成分を抽出する。同期検波回路３１において抽出される信号は、非同期検波信号Ｓｇとして制御回路３３に出力される。そして制御回路３３は、非同期検波信号Ｓｇが検出されている場合には、制御信号Ｓｈを生成してそれを発振回路１２及び信号処理回路１８に出力する。制御信号Ｓｈは、信号処理部１０の出力信号Ｓｉが、受光部７が投光部６のパルス点灯光を正常受光したことを示す状態に遷移すること（即ちＨレベルに切り換わること）を禁止するための信号である。そして制御信号Ｓｈが発振回路１２に与えられると、発振回路１２はクロック信号の発生を一時的に停止させる。また制御信号Ｓｈが信号処理回路１８に与えられると、信号処理回路１８は検出信号Ｓｄのカウント数をリセットする。
【００３３】
図４は、非同期判別回路３０による誤判定の防止を説明するための各部の信号状態を示す図である。図４においては、時間軸に沿って最初の同期信号Ｓａに同期して受光信号Ｓｃが得られているため、同期検波回路１８では受光信号Ｓｃが検波されて信号処理回路１８に与えられる。そして信号処理回路１８では最初の検出信号Ｓｄを入力すると、内部カウンタのカウント値を「１」とする。
【００３４】
一方、非同期判別回路３０では同期信号Ｓａの反転同期信号Ｓｆが生成され、この反転同期信号Ｓｆに基づいて受光信号Ｓｃから非同期検波信号Ｓｇが抽出される。図４の場合、最初の同期信号Ｓａが発生した後、次の同期信号Ｓａが発生するまでの間に受光信号Ｓｃに高周波信号が含まれているため、この高周波信号が非同期検波信号Ｓｇとして抽出される。そして制御回路３３は、少なくとも非同期検波信号Ｓｇが検出されている間は、クロック信号の発生を停止させることにより、同期信号Ｓａの発生を停止させると共に、信号処理回路１８におけるカウント値を「０」にリセットする。
【００３５】
そして制御回路３３は、図４に示すように、非同期検波信号Ｓｇが検出されなくなった後、再びクロック信号の発生を許可して同期信号Ｓａを発生させる。これに伴い、信号処理回路１８は連続的な検出信号Ｓｄを入力する毎に内部カウンタをカウントアップしていくことになる。
【００３６】
したがって、非同期検波信号Ｓｇが検出されている期間中は、受光部７がパルス点灯周波数ｆに一致した光を受光したとしても、それに応答した信号処理が中断されることになり、不正光源の点灯状態が高周波パルス点灯の場合であっても、信号処理部１０が正常受光であると誤判定することを防止できる。
【００３７】
（ヒステリシスによる信号検出）
本実施形態においては高周波信号である受光信号Ｓｃから同期信号Ｓａに同期した信号成分を適切に検出するために、信号のオン及びオフの検出レベルを異なるレベルとしたヒステリシスを設けると共に、オン及びオフの検出レベルよりも低いレベルにおいてノイズ信号を除去するためのノイズ除去レベルを設けている。図５はそれぞれのレベルを示す図であり、ヒステリシスのオン検出レベルＯＮはオフ検出レベルＯＦＦよりも高いレベルとして設定され、ノイズ除去レベルＨはオフ検出レベルＯＦＦよりも低いレベルに設定される。そして本実施形態では、ヒステリシスの検出レベル差（ヒステリシス幅）Ｗが、ノイズ除去レベルＨよりも大きい値に設定される。即ち、Ｗ＞Ｈとして設定されるのである。
【００３８】
例えば、ヒステリシス幅Ｗがノイズ除去レベルＨに対してＷ＜Ｈとして設定されている場合、不正操作として、投光部６からの光量を減衰させる半透明な遮光物をコイン通過路４に差し込み、コイン通過検出センサ２，３におけるオフ検出レベルＯＦＦに僅かに満たない程度の光量で受光部７に入光させるようにし、更にノイズ検出レベルＨに僅かに満たない程度の光量で不正光源を高周波点灯させて受光部７に入光させると、二つの光が重畳して光量が上がり、コイン通過検知センサ２，３がオンする。その状態で、次に不正光源を消灯させると、受光部７に入光する光量が減少し、コイン通過検知センサ２，３がオフする。したがって、ヒステリシス幅Ｗがノイズ除去レベルＨに対してＷ＜Ｈとして設定されている場合、コイン通過検出センサ２，３は投光部６が正常に投光する光のパルス点灯周波数ｆに感応して誤検知してしまうことになる。
【００３９】
そこで、上述の本実施形態のようにヒステリシス幅Ｗがノイズ除去レベルＨに対してＷ＞Ｈとして設定しておくことにより、不正光源が重畳されたときでもコイン通過検知センサ２，３がオンしないように構成することができ、不正操作を正常なコイン通過と誤検知してしまうことを防止できるようになっている。
【００４０】
尚、このようなヒステリシスとノイズ除去レベルを設けて信号検出を行う機能は、同期検波回路１７に設けてもよいし、信号処理回路１８に設けてもよい。また増幅回路１５の出力端から信号処理回路１８の入力端までの間の任意の部分に別の専用回路として設けてもよい。
【００４１】
（レベル検出回路）
本実施形態におけるレベル検出回路２０は、例えば受光部７に対して過大な光量が入光した場合、増幅回路１５において増幅された受光信号Ｓｃが回路電源Ｖとほぼ同等の高レベルの信号となり、その結果、信号処理部１０の内部回路が誤動作して出力信号Ｓｉを切り換えてしまうことを防止するために設けられるものである。
【００４２】
例えば、受光部７に対して過大な光量が入光した場合、受光信号Ｓｃは図６に示すように回路電源電圧Ｖで頭打ち状態となってしまう可能性があり、この場合、増幅回路１５や後段の回路で誤動作が生じる可能性がある。
【００４３】
そこでレベル検出回路２０は、増幅回路１５の内部における信号レベルを監視し、その信号レベルが一定値以上を継続する場合に、出力回路１９の機能をオフするように構成される。尚、レベル検出回路２０が監視する信号は受光信号Ｓｃであっても構わない。このようにレベル検出回路２０が出力回路１９の機能をオフすることにより、過大な光量を入光させる不正操作に対して無反応なコイン通過検出センサ２，３となる。
【００４４】
（他の構成例）
図７は信号処理部１０の他の構成例を示す図であり、非同期判別回路３０の制御回路３３が出力回路１９に対して制御信号Ｓｈを出力する場合を示している。尚、図７では、図２に示した部材と同一の機能を有する部材に同一符号を付している。また図８は、図７の構成において非同期判別回路３０による誤判定の防止を説明するための各部の信号状態を示す図である。
【００４５】
図７の構成では、同期信号Ｓａの発生タイミングの間に不正な高周波成分を含む受光信号Ｓｃが得られる場合であっても、増幅回路１５、同期検波回路１７及び信号処理回路１８による一連の処理では、その不正な高周波成分を検出しないため、信号処理回路１８は、Ｎ回の連続した検出信号Ｓｄを入力した時点で正常入光があったものとして、信号ＳｅをＨレベルに切り換えて出力する。
【００４６】
一方、非同期判別回路３０においては上述と同様の動作によって非同期検波信号Ｓｇが生成され、制御回路３３に入力する。そして制御回路３３は、少なくとも非同期検波信号Ｓｇが検出されている間は、出力回路１９に対して出力信号ＳｉをＨレベルに遷移させることを禁止する制御信号Ｓｈを出力する。そして非同期検波信号Ｓｇが検出されなくなった後、制御回路３３は、出力回路１９が出力信号ＳｉをＨレベルに遷移させることを許可する。
【００４７】
したがって、図７の構成によっても、非同期検波信号Ｓｇが検出されている期間中は、受光部７がパルス点灯周波数ｆに一致した光を受光したとしても、それに応答して正常受光であることを示す出力信号Ｓｉが出力されない構成となっている。
【００４８】
尚、図７に示すように制御回路３３が出力回路１９に対して制御信号Ｓｈを出力すると共に、図２に示したように発振回路１２及び信号処理回路１８にも出力して、非同期検波信号Ｓｇが検出されている期間中に正常受光であることを示す出力信号Ｓｉが出力されることを防止するように構成してもよい。
【００４９】
（コイン通過検出動作）
以上のようなコイン通過検出センサ２，３をコイン通過路４に沿って配置することにより、コイン通過検出装置１はコイン通過路４をコインが正常通過した場合にのみ、各コイン通貨検出センサ２，３から図１０と同様の出力信号Ｓ１，Ｓ２が出力される。即ち、コイン通過路４の上流側に配置されたコイン通過検出センサ２が先に遮光状態になり、続いて下流側に配置されたコイン通過検出センサ３が遮光状態になる。また入光状態に戻る際にも、上流側のコイン通過検出センサ２が先に入光状態となり、下流側のコイン通過検出センサ３は後に入光状態となる。そして入光状態に戻る際には、上述のように不正な光源による入光状態でないか否かが正確に評価され、受光部７が投光部６からの光を正常に受光した場合にのみ、正常受光であることを示す出力信号Ｓ１，Ｓ２が出力されることになる。そして出力信号Ｓ１，Ｓ２を後段の判定回路に出力することにより、判定回路では正常なコイン投入があった場合にのみ、コインの投入枚数のカウントアップを行うことができるようになる。
【００５０】
尚、上記においては受光部７が遮光状態にあるとき出力信号Ｓ１，Ｓ２がＬレベルとなり、正常な受光状態にあるときＨレベルとなる場合を例示したが、従来と同様に遮光状態のときにＨレベルとなり、正常受光状態のときにＬレベルとなることが求められる場合には、信号反転させた出力信号Ｓ１，Ｓ２を出力するように構成することもできる。
【図面の簡単な説明】
【００５１】
【図１】コイン通過検出装置の構成を示す図である。
【図２】信号処理部の詳細構成を示すブロック図である。
【図３】基本動作時の信号処理部における各部の信号状態を示す図である。
【図４】非同期判別回路による誤判定の防止を説明するための各部の信号状態を示す図である。
【図５】信号検出のためのヒステリシス幅とノイズ除去レベルとの設定状態を示す図である。
【図６】受光部に過大な光量が入光して受光信号が回路電源電圧で頭打ちとなった状態を例示する図である。
【図７】信号処理部の他の構成例を示す図である。
【図８】図７の構成により誤判定の防止を説明するための各部の信号状態を示す図である。
【図９】従来の光透過型コイン通過検出装置の構成を示す図である。
【図１０】コイン通過路をコインが通過したとき、各コイン通過検出センサから出力される出力信号を示す図である。
【図１１】不正光源を用いて不正操作が行われる一態様を示す図である。
【符号の説明】
【００５２】
１  コイン通過検出装置
２，３  コイン通過検出センサ
４  コイン通過路
６  投光部（投光手段）
７  受光部（受光手段）
９  コイン
１０  信号処理部
１１  乱数発生回路
１２  発振回路
１３  同期信号発生回路
１４  ドライブ回路（駆動手段）
１５  増幅回路
１５ａ  帯域フィルタ
１７  同期検波回路（信号検出手段）
１８  信号処理回路（信号処理手段）
１９  出力回路
２０  レベル検出回路
３０  非同期判別回路
Ｓｉ（Ｓ１，Ｓ２）  出力信号
【図１】
2006288958.tif 000003
【図２】
2006288958.tif 000004
【図３】
2006288958.tif 000005
【図４】
2006288958.tif 000006
【図５】
2006288958.tif 000007
【図６】
2006288958.tif 000008
【図７】
2006288958.tif 000009
【図８】
2006288958.tif 000010
【図９】
2006288958.tif 000011
【図１０】
2006288958.tif 000012
【図１１】
2006288958.tif 000013